(57)【特許請求の範囲】
【請求項１】
植生可能な擁壁を構成する環境保全用ブロックであって、左右の側面壁と、該左右の側面壁の左右幅よりも左右幅が大きく、かつ、左右の両端部が前記左右の側面壁よりも左右方向に突出した状態で配設された前面壁及び後面壁と、前記左右の側面壁と前記前面壁と前記後面壁とにより囲まれる土砂充填空間の底部を閉塞して配設された底面壁とを有するブロック体として構成されているとともに、該ブロック体の前記左右の側面壁の外側２箇所には上下及び１側が開口しているコンクリート充填空間を設け、前記前面壁には該前面壁より斜め前方に突出して上面が水平であり、開口され、前記土砂充填空間に連通している前面突出空間を形成して成る前面突き出し部を設け、前記底面壁には１個若しくは複数個の上下に貫通した水抜き孔を設けて成る環境保全用ブロックにおいて、上記水抜き孔は、上記土砂充填空間側の入口を広く、上記底面壁裏面側の出口に向かって幅が徐々に狭まる形状をしており、上記左右の側面壁の何れか一方の側面壁には、左右に貫通する吊り上げ用の側面孔が設けられて成り、且つ、前記前面突き出し部の上面開口部直下の内面に昇降用凹部を設け、上記環境保全用ブロックは、下段のブロックの上側に、該下段のブロックのコンクリート充填空間と上段のブロックのコンクリート充填空間が上下で一致させて積み上げる構造の用に供することを特徴とする環境保全用ブロック。
【発明の詳細な説明】
【技術分野】
【０００１】
本発明は環境保全用ブロックに関するものであり、特に、河川、海岸、湖沼等の護岸用擁壁、あるいは、道路や公園の法面の護岸用擁壁等に使用される環境保全ブロックに関するものである。
【背景技術】
【０００２】
従来、河川、海岸、湖沼等の護岸擁壁では、河川等が本来有している植生の回復、及び、保全を図る目的からコンクリート内部に土砂を充填できる構造のコンクリートブロックが用いられている。
【０００３】
これらコンクリートブロックには、上下に貫通した空洞部を有するポット型のコンクリートブロック(例えば、特許文献１参照)や、ブロック下部に底板を有する緑化用のコンクリートブロック(例えば、特許文献２参照)、ブロック前面に植栽用の貫通孔を有するコンクリートブロック(例えば、特許文献３参照)等が知られている。これらのコンクリートブロックは、いずれもコンクリート内に胴込み土砂を蓄えることができる空間を有し、該空間内の土砂に植生を施すことができる構成になっている。
【特許文献１】実公昭４−２１９６号公報。
【特許文献２】実開平５−３３５６号公報。
【特許文献３】特開２００２−２９４６５８号公報。
【発明の開示】
【発明が解決しようとする課題】
【０００４】
上述したように、特許文献１，特許文献２，特許文献３に記載の発明は、いずれもコンクリート内に胴込み土砂を蓄えて植生を施すことができる繁茂可能な空間を有するものの、以下に述べるような問題点があった。
【０００５】
特許文献１で知られるような上下に貫通した空洞部を有するポット型のコンクリートブロックは、空洞部が完全に上下に連続しているため、一部の土砂が流出すると、結果として全体の土砂の流出に繋がる。
【０００６】
特許文献２で知られるようなブロック下部に底板を有する緑化用のコンクリートブロックは、底板を有するため、上記ポット型のコンクリートブロックに比べて一部の土砂流出が全体に繋がることはない。しかしながら、ブロック内の土砂は、底板の影響により各段で途切れてしまい、連続性が保たれない。また、法面前面部が大きく開いているため、該法面前面部から土砂が流出する可能性がある。
【０００７】
特許文献３で知られるようなブロック前面に植栽用の貫通孔を有するコンクリートブロックは、貫通孔が法面に対して直角に設けられる。これは植物の種子の定着のしやすさという点では、あまり好ましくない。また、前面部からの土砂の流出の危険性を軽減する目的で、前面部に設けられた貫通孔はあまり大きな面積を有するものではないので、植生がしにくい。
【０００８】
そこで、植生に適した環境を作り、河川等が本来有している植生の回復、及び、保全を図ることができる擁壁を簡単に構築可能な環境保全用ブロックを提供するために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、植生可能な擁壁を構成する環境保全用ブロックであって、
左右の側面壁と、該左右の側面壁の左右幅よりも左右幅が大きく、かつ、左右の両端部が前記左右の側面壁よりも左右方向に突出した状態で配設された前面壁及び後面壁と、前記左右の側面壁と前記前面壁と前記後面壁とにより囲まれる土砂充填空間の底部を閉塞して配設された底面壁とを有するブロック体として構成されているとともに、
該ブロック体の前記左右の側面壁の外側２箇所には上下及び１側が開口しているコンクリート充填空間を設け、前記前面壁には該前面壁より斜め前方に突出して上面が水平であり、開口され、前記土砂充填空間に連通している前面突出空間を形成して成る前面突き出し部を設け、前記底面壁には１個若しくは複数個の上下に貫通した水抜き孔を設けて成る環境保全用ブロックにおいて、
上記水抜き孔は、上記土砂充填空間側の入口を広く、上記低壁裏面側の出口に向かって幅が徐々に狭まる形状をしており、
上記左右の側面壁の何れか一方の側面壁には、左右に貫通する吊り上げ用の側面孔が設けられて成り、
且つ、前記前面突き出し部の上面開口部直下の内面に昇降用凹部を設け、
上記環境保全用ブロックは、下段のブロックの上側に、該下段のブロックのコ
ンクリート充填空間と上段のブロックのコンクリート充填空間が上下で一致させて積み上げる構造の用に供する環境保全用ブロックを提供する。
【００１０】
この構成によれば、このブロックが護岸等に沿って適宜積み上げられたとき、前面突き出し部により作られている前面突出空間の上面開口部分が前面壁より前方に飛び出し、該前面突出空間に入れられた胴込め土砂の上部(上面開口部)に植物の種子等が定着しやすい水平面ができる。また、前面突き出し部の粗度により流速が低減されるため、開口部からの胴込め土砂の流出が抑えられる。さらに、底壁面に１個もしくは複数個の貫通孔を設けることで、上下のブロック間における土砂の連続性が確保できる。加えて、左右の側面壁の外側２箇所に設けたコンクリート充填空間を上下、または／及び、左右で隣接し合う位置に積み上げられているブロック同士を互いに対峙させ、その後、該コンクリート充填空間内にコンクリートを充填すると、上下、または／及び、左右のブロック同士が互いに連結される。
【００１２】
この構成によれば、土砂充填空間側の入口が広く、上記底壁裏面側の出口が徐々に狭まる形状としたことにより、土砂充填空間に入れられた土砂が下部ブロック側に流出しにくくなる。
【００１４】
この構成によれば、河川内等に人が転落したようなとき、昇降用凹部に手や足等を引っかけて護岸につかまることができる。
【発明の効果】
【００１５】
請求項１記載の発明は、ブロックが護岸等に沿って適宜積み上げられたとき、前面壁より前方に飛び出している前面突出空間内に土砂の水平面ができ、この土砂の水平面が植物の種子等が定着しやすい環境を提供するので、さらに植生を繁茂にする環境が提供できる。また、前面突き出し部が、流速を低減させ、土砂の流出を抑える。しかも、上面に開口を有する構成にしているので、土砂の流出が少ない。さらに、底壁面に１個もしくは複数個の貫通孔を設けることで、上下のブロック間における土砂の連続性が確保でき、植生という点から見ても水の供給が連続的に行われ、よりよい生息環境を提供することができる。加えて、左右の側面壁の外側２箇所に設けたコンクリート充填空間内にコンクリートを充填して、上下、または／及び、左右のブロック同士を簡単、かつ、強固に連結して、強度の高い擁壁を構築することができるという利点がある。
【００１６】
この発明は、土砂充填空間側の入口が広く、上記底壁裏面側の出口が徐々に狭まる形状としたことにより、土砂充填空間に入れられた土砂が下部ブロック側に流出しにくいので、上記の効果に加えて、常に定量の土砂を確保し、植生の繁茂と擁壁の安定性に寄与できるという利点がある。また、一方の側面壁には、左右に貫通する吊り上げ用の側面孔が設けられているので、ブロックの施工に際し、上記側面孔にフック等の掛金を掛けて吊り下げることができ、ブロック施工の便宜に資することができる。
【００１７】
この発明は、河川内等に人が転落したようなとき、昇降用凹部に手や足等を引っかけて護岸につかまり、安全に陸へと脱出することができるので、上記の効果に加えて、安全性が確保できるという利点がある。
【発明を実施するための最良の形態】
【００１８】
植生に適した環境を作り、河川等が本来有している植生の回復、及び、保全を図ることができる擁壁を簡単に構築可能な環境保全用ブロックを提供するという目的を達成するために、植生可能な擁壁を構成する環境保全用ブロックにおいて、左右の側面壁と、該左右の側面壁の左右幅よりも左右幅が大きく、かつ、左右の両端部が前記左右の側面壁よりも左右方向に突出した状態で配設された前面壁及び後面壁と、前記左右の側面壁と前記前面壁と前記後面壁とにより囲まれる土砂充填空間の底部を閉塞して配設された底面壁とを有するブロック体として構成されているとともに、該ブロック体の前記左右の側面壁の外側２箇所には上下及び１側が開口しているコンクリート充填空間を設け、前記前面壁には該前面壁より斜め前方に突出して上面が開口され、かつ、前記土砂充填空間に連通している前面突出空間を形成して成る前面突き出し部を設け、前記底面壁には１個若しくは複数個の上下に貫通した水抜き孔を設けて成る構成としたことにより実現した。
【実施例】
【００１９】
以下、本発明の環境保全用ブロックについて、好適な実施例をあげて説明する。図１〜図５は本発明の一実施の形態に係る環境保全用ブロック(以下、単に「ブロック」という)を示し、図１は正面側より見た該ブロックの斜視図、図２は該ブロックの正面図、図３は該ブロックの平面図、図４は該ブロックの側面図、図５は図２のＡ−Ａ線断面に相当する該ブロックの断面図である。
【００２０】
図１〜図５において、ブロック１は、コンクリート材による成形品であり、左右の側面壁２，２と、該左右の側面壁２，２の前側端部にそれぞれ左右方向に延びて直角に配設された前面壁３と、該左右の側面壁２，２の後側端部にそれぞれ左右方向に延びて直角に配設された後面壁４と、該左右の側壁２，２と該前面壁３と該後面壁４とにより囲まれた土砂充填空間５の底部を閉塞して配設されている底面壁６とを一体に設けて、１つのブロック体として形成されている。
【００２１】
前記前面壁３と前記後面壁４の左右幅は、前記左側の側面壁２と前記右側の側面壁２の幅の間隔よりも十分大きく、そして、前面壁３及び後面壁４は、左右の両端部３ａ，３ｂ、４ａ，４ｂを該左右の側面壁２，２よりも左右方向外側に大きく突出した状態にして設けられている。これにより、一方の側面壁２の外側には、該側面壁２と前面壁３の端部３ａと後面壁４の端部４ａとで囲まれ、かつ、上下面と一側面がそれぞれ開口されたコンクリート充填空間７ａが設けられている。また、他方の側面壁２の外側には、該側面壁２と前面壁３の端部３ｂと後面壁４の端部４ｂとで囲まれ、かつ、上下面と一側面がそれぞれ開口されたコンクリート充填空間７ｂが設けられている。
【００２２】
さらに、前記後面壁４には、該後面壁４の上端より下端(底面壁６)側に向かって切欠された背面切欠部８が設けられ、前記左右の側面壁２，２のうち、一方の側面壁２には左右に貫通している吊り上げ用の側面孔９が設けられている。また、図３及び図５に示すように、前記底面壁６の略中央部には、上下方向に貫通して水抜き孔１０が設けられている。該水抜き孔１０は、平面視四角形の孔で、土砂充填空間５側の入口から底面壁６の裏面(
下面)側出口に向かって幅が徐々に狭まる逆四角錐の形状をなしている。なお、水抜き孔
１０は、逆四角錐の他に、逆円錐形若しくは逆多角錐等であってもよく、その数も必要に応じて１個以上、複数個設けてもよい。 
【００２３】
また、前記前面壁３の上部には前面突き出し部１１が設けられている。該前面突き出し部１１は、該前面壁３の上下方向における途中の位置から該前面壁３の一部を斜め前方に折り曲げて外側に突出させた状態にして形成されている。そして、該突き出し部１１は、該前面壁３の外側に突き出した上部に上面が開口された上面開口部１２ａを有する空間で、かつ、前記土砂充填空間５と連通している前面突出空間１２を形成している。該前面突出空間１２は、ブロック１が上下方向に積み重ねられたときに、上面開口部１２ａが前面壁３から前方へ水平に突出した状態で配置される。加えて、突き出し部１１の内面には、図３に示すように、左右方向に延びる溝状に形成された昇降用凹部１３が設けられている。該昇降用凹部１３は、前面突き出し部１１の先端を人が手で掴まるときに、指を掛けるのに適した大きさ、及び、深さに設定されている。なお、該昇降用凹部１３は救助用としても用いることができる。
【００２４】
図６及び図７は、以上のように構成されているブロック１を使用して護岸擁壁を構築した一例を示し、図６は護岸擁壁の側面断面図、図８は図６のＢ−Ｂ線断面に相当する護岸擁壁の断面拡大図である。
【００２５】
次に、図１〜図５に示したブロック１を使用して構築した護岸擁壁５０の一例を図６及び図７を用いて説明する。構築に当たっては、まず、図６に示すように、構築位置に砕石等の突き固めにより所要範囲にわたって基礎工事５１が施され、その上に図示しない適宜の型枠が立てられて基礎コンクリート５２が打設形成される。
【００２６】
前面壁３を外側、後面壁４を内側にし、また、土砂充填空間５の上面開口部１２ａを水平に保持して１段目のブロック１を積み、法面５３上に裏込め砕石５４が詰める。このとき、左右の隣り合うブロック１，１のコンクリート充填空間７ａ，７ｂ同士を突き合わせ、さらに図７に示すように、該コンクリート充填空間７ａ，７ｂ内に胴込みコンクリート５５を流し込んで、隣り合うブロック１，１同士を固定して補強する。続いて、図７に示すように、上面開口部１２ａが略水平に維持されているブロック１，１…の土砂充填空間５内と前面突出空間１２内に現地発生の胴込め土砂５６を詰め込んで上面開口部１２ａと水平に胴込め土砂５６を内在させることで、１段目の護岸擁壁５０が構築される。
【００２７】
また、１段目の護岸擁壁５０が形成されたら、１段目のブロック１の上側に、１段目のブロック１のコンクリート充填空間７ａ，７ｂと２段目のブロック１のコンクリート充填空間７ａ，７ｂを上下で一致させるとともに、土砂充填空間５の上面開口部１２ａを水平に保持して、２段目の隣り合う左右のブロック１，１のコンクリート充填空間７ａ，７ｂ同士を突き合わせる。次いで、該コンクリート充填空間７ａ，７ｂ内に胴込みコンクリート５５を流し込み、左右のブロック１，１間と上下のブロック１，１間を同時に固定して補強する。続いて、上面開口部１２ａが略水平に維持されている２段目のブロック１，１…の土砂充填空間５内と前面突出空間１２内に現地発生の胴込め土砂５６を詰め込んで上面開口部１２ａと水平に胴込め土砂５６を内在させると、２段目の護岸擁壁５０が構築される。以下、同様にして、３段目、４段目…を構築して行き、所定段の構築を終えたら、天端に天端コンクリート５７を打設すると終了し、図６に示す護岸擁壁５０が形成される。
【００２８】
このように構築された護岸擁壁５０は、前面突き出し部１１により形成された前面突出空間１２に内在された胴込め土砂５６が、前面壁３の外側に突き出している前面突出空間１２の上面開口部１２ａ内に露出される。したがって、該上面開口部１２内に露出している胴込め土砂５６上に現地本来の植生を繁茂させることができ、環境保全型の護岸擁壁を実現することができる。なお、図７に示すように、水中部に当たる根入部ブロック１４等
には、植生の繁茂等は不要であるので、コンクリートのみの構造にもできる。
【００２９】
また、このように構築された護岸擁壁５０は、ブロック１が護岸に沿って適宜積み上げられたとき、前面壁３より前方に飛び出している前面突出空間１２に内在された土砂の上面は水平に保たれるので、植物の種子等が定着しやすい環境を提供できる。さらに、水が護岸上を流れ下るとき、前面突き出し部１１がブロック１上の表面流速を抑えて土砂の流出を防ぐので、植生をより一層繁茂に適する環境が作られる。しかも、上面に開口を有する構成にしているので、土砂の流出が少なくて済む。さらに、底壁面６に１個もしくは複数個の水抜き孔(貫通孔)１０を設けることで、上下のブロック間における土砂の連続性が確保でき、植生という点から見ても水の供給が連続的に行われることで、よりよい生息環境を提供することができる。
【００３０】
なお、水抜き孔（貫通孔）１０は、土砂充填空間側の入口が広く、底壁裏面側の出口が徐々に狭まる形状としたことにより、土砂充填空間に入れられた土砂が下部ブロック側に流出しにくいので、常に定量の土砂を確保し、植生の繁茂と擁壁の安定性に寄与できるという利点がある。
【００３１】
加えて、左右の側面壁２，２の外側２箇所に設けたコンクリート充填空間７ａ，７ｂ内にコンクリートを充填して、上下、及び、左右のブロック１，１，１間を互いに簡単、かつ、強固に連結することができるので、大きな強度を有する護岸擁壁を構築することができる。また、河川内等に人が転落したようなとき、昇降用凹部１３に手や足等を引っかけて護岸につかまり、安全に陸へと脱出することができるので、安全性も確保できる。
【００３２】
なお、本発明は、本発明の精神を逸脱しない限り種々の改変を為すことができ、そして、本発明が該改変されたものに及ぶことは当然である。
【図面の簡単な説明】
【００３３】
【図１】本発明の一実施の形態に係る環境保全用ブロックの斜視図。
【図２】同上ブロックの正面図。
【図３】同上ブロックの平面図。
【図４】同上ブロックの側面図。
【図５】図２のＡ−Ａ線に相当する同上ブロックの断面図。
【図６】本発明のブロックを使用して形成された護岸擁壁の側断面図。
【図７】図６において根入れ部を現場打ちした状態を示す側断面図。
【図８】図６のＢ−Ｂ線断面に相当する護岸擁壁の断面拡大図。
【符号の説明】
【００３４】
１          環境保全用ブロック
２          側面壁
３          前面壁
３ａ，３ｂ  端部
４          後面壁
４ａ，４ｂ  端部
５          土砂充填空間
６          底面壁
７ａ，７ｂ  コンクリート充填空間
８          背面切欠部
９          側面孔
１０        水抜き孔
１１        前面突き出し部
１２        前面突出空間
１２ａ      上面開口部
１３        昇降用凹部
１４        根入部ブロック
５０        護岸擁壁
５１        基礎工事
５２        基礎コンクリート
５３        法面
５４        裏込め砕石
５５        コンクリート
５６        胴込め土砂
【図１】
0004778527.tif 000002
【図２】
0004778527.tif 000003
【図３】
0004778527.tif 000004
【図４】
0004778527.tif 000005
【図５】
0004778527.tif 000006
【図６】
0004778527.tif 000007
【図７】
0004778527.tif 000008
【図８】
0004778527.tif 000009